(57)【要約】 【課題】発光素子を備える送信機器に適用してより詳しい保守データを簡単なシステム構成のもとで送受できるようにした外部機器から得られる保守データの簡易送受システムの提供。                                                 【解決手段】外部機器からデータを取り込む入力部１４と、外部機器の動作状態を視覚的に知らせる発光素子１５とを備える送信機器１１と、発光素子１５の点滅パターンを識別する受光手段２４と、該受光手段２４から得られた受信データを処理するデータ処理手段とを備える受信機器２１とで構成され、発光素子１５は、ＯＮの入力間隔が常に一定周波数のもとで等間隔の周期で繰り返され、かつ、その際の点灯パターンを時間的な長短２種類のもとで２値化して区切りコード別の２値化情報として繰り返し出力し、受信機器２１は、受光手段２３４が検出した発光素子１５の２値化情報から点灯パターンの長短の別を検出し、有意な保守データとして再生する。【選択図】図２
2010109822.tif 000002
【特許請求の範囲】
【請求項１】
外部機器から必要データを内部情報として取り込む入力部と、前記内部情報に基づいて前記外部機器の概略動作状態の別をその点滅パターンにより視覚的に知らせる発光素子とを少なくとも備える送信機器と、該送信機器の前記発光素子の点滅パターンの別を識別する受光手段と、該受光手段を介して取得された受信データを処理するデータ処理手段とを少なくとも備える受信機器とで構成され、
前記発光素子は、ＯＮの入力間隔が常に一定周波数のもとで等間隔の周期として繰り返され、かつ、その際の点灯パターンを時間的な長短２種類のもとで２値化して区切りコード別の２値化情報として繰り返し出力し、
前記受信機器は、前記受光手段が検出した前記発光素子の前記２値化情報から点灯パターンの長短の別を検出し、前記送信機器が取り込んだ前記内部情報中から前記データ処理手段を介して有意な保守データとして再生することを特徴とする外部機器から得られる保守データの簡易送受システム。
【請求項２】
前記発光素子は、その周囲に位置合わせマークを備え、前記受光手段は、受光素子と、該受光素子を囲繞するようにして突設されて外乱光が入らないように前記位置合わせマークに押し当てられる遮光筒部とからなる請求項１に記載の外部機器から得られる保守データの簡易送受システム。
【請求項３】
前記発光パターンにより生成される前記２値化情報には、エラーチェックコードを付加した請求項１または２に記載の外部機器から得られる保守データの簡易送受システム。
【請求項４】
前記発光パターンにより生成される前記２値化情報には、予め設定されている複数ビットデータ毎に個々のビットを反転させた反転ビットデータを含む請求項１ないし３のいずれかに記載の外部機器から得られる保守データの簡易送受システム。
【請求項５】
前記発光パターンにより生成される区切りコード別の前記２値化情報は、その繰り返しを前記受信機器が複数回受信していずれも一致した際に通信成功とする請求項１ないし４のいずれかに記載の外部機器から得られる保守データの簡易送受システム。
【発明の詳細な説明】
【技術分野】
【０００１】
本発明は、外部機器である漏電遮断器や電磁開閉器から取得した保守用データを簡単なシステム構成のもとで比較的詳細に送受できるようにした外部機器から得られる保守データの簡易送受システムに関するものである。
【背景技術】
【０００２】
モータなどの負荷を制御して負荷の応動時間を監視する監視制御装置には、例えば下記特許文献１に開示されている「監視制御装置および監視制御システム」のようなものがある。
【特許文献１】特開平９−１２１３９０号公報
【０００３】
上記特許文献１に開示されている「監視制御装置および監視制御システム」は、負荷に制御信号を与えて負荷が応動する時間を監視し、この応動時間が所定の応動監視時間以内か否かによりその制御の成否を判断するものであり、該応動監視時間を各種の多くの負荷に対して自動的に最適設定することにより、制御負荷の劣化などによる応動時間の増加を精度よく検知し劣化診断や劣化予知を行おうとするものである。
【０００４】
そして、上記「監視制御装置および監視制御システム」は、伝送線を介して制御指令を与え、制御負荷が応動する応動時間を経過時間計測手段で計測し、その計測回数が制御回数計数手段で所定の回数に達すると、得られた複数個の応動時間の内の最大値に、所定の遅延時間を加算した値を応動監視時間として設定した上で、その後の制御指令による負荷の応動時間が設定した応動監視時間以内か否かで、その制御が成功したか否かを判定して監視を行い、その監視結果を中央制御装置などへ伝送線を介して伝送できるようにして構成されている。
【０００５】
しかし、上記「監視制御装置および監視制御システム」による場合には、伝送線、経過時間計測手段および制御回数計数手段を必要とすることから、そのシステム構成が複雑になり、例えばロガーのような測定機器に簡単には適用することができないという問題があった。
【０００６】
一方、長期間にわたり設置して動作させる必要があるロガーのような測定機器の中には、外部機器の機器状態や測定状態を発光ダイオード（ＬＥＤ）の点滅パターンとの関係で視覚的に知らせることができる保守報知機能を備えているものもある。
【０００７】
この場合、上記測定機器は、例えば二色発光できる発光ダイオードを具備させた簡易な構成とし、機器自体が正常であることを示す通常状態は緑点灯とし、停止中は消灯とし、異常であることを示すエラー状態は赤点灯とし、さらにこれに点滅状態を加えるなどして、少しでも多くの必要情報を発光ダイオードを介して視覚的に知らせることができるようになっている。
【発明の開示】
【発明が解決しようとする課題】
【０００８】
しかし、上記測定機器を用いる場合は、発光ダイオードの点滅パターン別に識別できる大まかな情報を視覚的に把握することはできるものの、外部機器から取得しているより詳しい内部情報を知らせるために用意される何らかの他の手段を併用する必要がある。
【０００９】
この場合、上記測定機器には、有線接続や赤外線通信や無線通信などの通信手段を具備させることで、例えばパーソナルコンピュータ（ＰＣ）との間で情報を送受できるように構成することもできる。
【００１０】
しかし、上記測定機器の保守時などには、通常の通信状態から設定を変更して通信を行う必要があることから、通常通信を一時的に停止させなければならない不便や、設定変更ミスに起因するシステムダウンをおこすおそれがあるなどの問題があった。
【００１１】
本発明は、従来技術の上記課題に鑑み、外部機器の機器状態や測定状態を発光ダイオード（ＬＥＤ）などの発光素子の点滅パターンとの関係で視覚的に知らせることができる保守報知機能を備えている送信機器に適用され、発光素子の点灯パターンを２種類とし、その別に応じてより詳しい内部情報を簡単なシステム構成のもとで送受できるようにした外部機器から得られる保守データの簡易送受システムを提供することに目的がある。
【課題を解決するための手段】
【００１２】
本発明は、上記目的を達成すべくなされたものであり、外部機器から必要データを内部情報として取り込む入力部と、前記内部情報に基づいて前記外部機器の概略動作状態の別をその点滅パターンにより視覚的に知らせる発光素子とを少なくとも備える送信機器と、該送信機器の前記発光素子の点滅パターンの別を識別する受光手段と、該受光手段を介して取得された受信データを処理するデータ処理手段とを少なくとも備える受信機器とで構成され、前記発光素子は、ＯＮの入力間隔が常に一定周波数のもとで等間隔の周期として繰り返され、かつ、その際の点灯パターンを時間的な長短２種類のもとで２値化して区切りコード別の２値化情報として繰り返し出力し、前記受信機器は、前記受光手段が検出した前記発光素子の前記２値化情報から点灯パターンの長短の別を検出し、前記送信機器が取り込んだ前記内部情報中から前記データ処理手段を介して有意な保守データとして再生することを最も主要な特徴とする。
【００１３】
この場合、送信機器の前記発光素子は、その周囲に位置合わせマークを備え、受信機器の前記受光手段は、受光素子と、該受光素子を囲繞するようにして突設されて前記位置合わせマークに押し当てられる遮光筒部とで構成するのが好ましい。
【００１４】
また、前記発光パターンにより生成される前記２値化情報には、エラーチェックコードを付加したり、予め設定されている複数ビットデータ毎に個々のビットを反転させた反転ビットデータを含めることもできる。
【００１５】
さらに、前記発光パターンにより生成される区切りコード別の前記２値化情報は、その繰り返しを前記受信機器が複数回受信していずれも一致した際に通信成功とするようにしてもよい。
【発明の効果】
【００１６】
本発明によれば、送信機器が備える発光素子は、点灯パターンを時間的な長短２種類のもとで２値化して区切りコード別の２値化情報として繰り返し出力し、受信機器は受光手段を介して前記２値化情報を受信することで、送信機器が取り込んだ内部情報中から有意な保守データとして再生することができるので、簡単なシステム構成のもとで、発光素子の点滅状態を目視する従来どおりの視覚的な確認のほか、外部機器から送信機器が取得した保守データを含む詳細な内部情報も把握することができる。
【発明を実施するための最良の形態】
【００１７】
図１は、本発明のシステム構成例の概要を示す説明図であり、そのうちの（ａ）は、システムの一方を構成している送信機器側の一側面を、（ｂ）は、システムの他方を構成している受信機器側の一側面をそれぞれ示す。また、図２は、図１に示す送信機器と受信機器とのそれぞれの一側面側を向き合わせて配置した状態を一部を省略して示す説明図である。
【００１８】
これらの図によれば、システムの全体は、図示しない監視対象としての外部機器から保守データを含む必要データを内部情報として取り込む入力部１４と、前記内部情報に基づいて前記外部機器の概略動作状態の別をその点滅パターンにより視覚的に知らせる発光素子１５とを少なくとも備える送信機器１１と、該送信機器１１の発光素子１５の点滅パターンの別を識別する受光手段２４と、該受光手段２４を介して取得された受信データを処理する図示しないデータ処理手段（ＣＰＵ）とを少なくとも備える受信機器２１とで構成されされている。
【００１９】
このうち、ロガーなどの適宜の測定器からなる送信機器１１は、機器本体部１２の一側面１３の上側に発光ダイオード１６などからなる発光素子１５を、下側に適宜構造のコネクタからなる入力部１４をそれぞれ備えて形成されている。
【００２０】
また、機器本体部１２の一側面１３には、受信機器２１が備える受光手段２３側との関係で位置合わせをするための位置合わせマーク１８が発光素子１５からやや離間させた位置に同心円の円形枠状となって設けられている。
【００２１】
この場合、発光素子１５は、ＯＮの点灯時であっても実際には例えば１０ｍｓｅｃのスピードで断続的に点滅を繰り返すものであるが、視覚的な残像現象により点灯状態が連続しているように錯覚して目視されることになる。
【００２２】
このため、本発明においては、ＯＮとなった点灯時における発光素子１５の断続的な点灯状態を、例えばＣＰＵなどのポート出力により制御して高速にＯＮ／ＯＦＦできるようにし、かつ、別途用意されるプログラムによりＯＮ／ＯＦＦの長さを変更させる機能を送信機器１１側に保持させている。
【００２３】
これにより、発光素子１５は、同一の周期のもとで長い時間の点灯状態（例えば１周期の２／３の時間）と短い時間の点灯状態（例えば１周期の１／３の時間）との２つの発光パターンのもとで点灯させることができ、これにより発光パターンを例えば長い時間の点灯状態を「１」とし、短い時間の点灯状態を「０」とするビットを与えてコード化することことができる。
【００２４】
これを具体的に示すならば、ＯＮとなった点灯時は、実際には例えば図３に示すように周期ｔで繰り返される断続状態のもとで点滅しており、図３に示すパターンでの断続状態は、「１，１，０，０，０，１，０，１，１，０，１，０，０，…」としてコード化できることになる。
【００２５】
また、送信機器１１が出力すべき内部情報は、図３に示す発光素子１５の長い時間の点灯状態を「１」とし、短い時間の点灯状態を「０」とする２値化されたビットに乗せてコード化された２値化情報として繰り返し出力されることになる。
【００２６】
この場合、繰り返し出力される内部情報は、繰り返しの都度、その区切りがわかるように、予め決めておいた特別のコードをデータの先端や最後尾に入れておき、図４に示すようなコード配列のもとで出力される。
【００２７】
すなわち、図４によれば、内部情報は、「開始コード」、「内部データ」、「ＣＲＣ（エラーチェックコード）」および「終了コード」を一区切りとしてコード化され、コード化された各区切りが繰り返し出力されることになる。
【００２８】
これをより詳しく説明すれば、「開始コード」は、例えば１０ｂｉｔ連続した「１」としてコード化される。この場合、発信側では、９ビット連続した「１」があった場合に最後の１ビットに「０」を挿入して発信し、受信側では、９ビット連続した「１」の後の「０」は取り除いて「１」とすることで、区切りとなる「開始コード」を認識する。この間のデータ処理のうち、送信機器側のデータ処理例は図５に、受信機器側のデータ処理例は図６にそれぞれ示す。
【００２９】
「内部データ」は、予め意味付けされた「１」と「０」との適宜組み合わせを連続させることで、特定の意味付けをしてコード化される。
【００３０】
この場合、「内部データ」のもととなる内部情報によっては、短い時間の点灯状態である「０」が連続するなどしてＯＮ時間（明るさ）に偏りが生じて視覚的にチラチラしてしまう可能性がある。このようなチラチラ感をなくすためには、例えば８ビットデータ毎にビット反転の８ビットデータも出力（例えば「内部データ」が「１１０００１０１」であれば、「１１０００１０１  ００１１１０１０」として出力）させることで、合計のＯＮ時間を同じになるようにすることで対応させることができる。
【００３１】
一方、ＣＰＵ（中央処理装置）を搭載した表示器やＰＣ（パーソナルコンピュータ）などからなる受信機器２１は、図２に示すように送信機器１１の一側面１３と向き合わせた際に発光手段１５と対向する位置関係にある機器本体部２２の一側面に備える受光手段２４と、該受光手段２４を介して取得された受信データを処理する図示しないデータ処理手段とを少なくとも備えている。なお、受信機器２１は、ＬＣＤなどからなる表示器や記録用のメモリなど、必要により各種の機能を付与して形成することができる。
【００３２】
該受光手段２４は、送信機器１１の発光素子１５の点滅パターンの別を識別する例えばホトダイオード２６などからなる受光素子２５と、該受光素子２５を囲繞するようにして機器本体部２２の一側面２３から略ラッパ状に突設された例えば不透明シリコーンゴムなどの密着性の高い遮光筒部２７とで形成されている。
【００３３】
この場合、遮光筒部２７の開放縁２７ａは、位置合わせマーク１８の径と略一致する外径が付与されて形成されており、位置合わせマーク１８側に押し当てることにより、外乱光が侵入しないように密着させることができるようになっている。
【００３４】
このような構造が付与されて形成される受信機器２１は、受光素子２５が検出した発光素子１５の点灯時の各周期ｔにおける実点灯状態の長・短間隔であるＯＮ／ＯＦＦを、各周期ｔに対応する一定周波数の整数倍（例えば８倍）でサンプリングして検出し、送信機器１１が取得した内部情報に対応させた信頼性に優れた通信データを再生する。
【００３５】
この場合、視覚的に常時ＯＮの場合などは、発光素子１５がＯＮになるタイミングでＰＬＬ（位相同期ループ）を用いてサンプリングクロックを生成することにより、周波数にばらつきがあっても通信できるようにしておくこともできる。
【００３６】
すなわち、ＰＬＬは、入力信号の周波数の任意の何倍かの高周波数で出力できるので、入力信号の周波数が高くなると、出力信号の周波数も同じ倍率で自動的に高くすることができる。
【００３７】
このため、本発明においては、受光素子２５のＯＮ／ＯＦＦ信号をＰＬＬに入力し、その際のＯＮ／ＯＦＦ間隔（１回目のＯＮから２回目のＯＮまでの間隔）の周波数の何倍かの周波数のサンプリングクロックを自動的に生成させ、該サンプリングクロックで光のＯＮ／ＯＦＦの各長短を把握することができる。
【００３８】
そして、光のＯＮ／ＯＦＦの周波数が高い周波数に変化した場合には、自動的にサンプリングクロックも同じ倍率で高周波数となるので、光のＯＮ／ＯＦＦの各長短の比率を変えることなく検出することができる。
【００３９】
これを具体的に説明すると、例えば、当初、光のＯＮの時間５ｍｓｅｃの間に５回サンプリングしていたところ、光のＯＮの時間が２ｍｓｅｃになる、つまり、光の点灯の周波数が高くなる。そうすると、サンプリングクロックの周波数も自動的に高くなり、光がＯＮの時間２ｍｓｅｃの間にサンプリングする回数は５回のまま変わらなくすることができることになる。
【００４０】
つまり、送信機器１１が備える発光素子１５は、点灯パターンを時間的な長短２種類のもとで２値化して区切りコード別の２値化情報として繰り返し出力し、受信機器２１は、受光手段２４を介して２値化情報を受信することで、送信機器１１が取り込んだ内部情報中から有意な保守データとして再生することができることになる。
【００４１】
したがって、本発明によれば、外部機器から必要データを内部情報として取り込む入力部１４と、前記内部情報に基づいて前記外部機器の概略動作状態の別をその点滅パターンにより視覚的に知らせる発光素子１５とを備える送信機器１１と、受光手段２４と、該受光手段２４を介して取得された受信データを処理するデータ処理手段とを備える受信機器２１という簡単なシステム構成のもとで、発光素子１５の点滅状態を目視する従来どおりの視覚的な確認のほか、外部機器から送信機器１１が取得した保守データを含む詳細な内部情報も受信機器２１を介して把握することができる結果、外部機器に対する保守管理を効率よく行うことができることになる。
【図面の簡単な説明】
【００４２】
【図１】本発明のシステム構成例の概要を示す説明図であり、そのうちの（ａ）は、システムの一方を構成している送信機器側の一側面を、（ｂ）は、システムの他方を構成している受信機器側の一側面をそれぞれ示す。
【図２】図１に示す送信機器と受信機器とのそれぞれの一側面側を向き合わせて配置した状態を一部を省略して示す説明図。
【図３】ＯＮとなった点灯時に一定周期で繰り返される発光素子の実点滅状態を模式的に示す説明図。
【図４】発光素子から出力される２値化情報のコード配列例を示す説明図。
【図５】送信機器側のデータ処理例を示すフローチャート図。
【図６】受信機器側のデータ処理例を示すフローチャート図。
【符号の説明】
【００４３】
１１  送信機器
１２  機器本体部
１３  一側面
１４  入力部
１５  発光素子
１６  発光ダイオード
１７  位置合わせマーク
２１  受信機器
２２  機器本体部
２３  一側面
２４  受光手段
２５  受光素子
２６  ホトダイオード
２７  遮光筒部
２７ａ  開放縁
【図１】
2010109822.tif 000003
【図２】
2010109822.tif 000004
【図３】
2010109822.tif 000005
【図４】
2010109822.tif 000006
【図５】
2010109822.tif 000007
【図６】
2010109822.tif 000008